(57)【特許請求の範囲】
【請求項１】
上面に蓋受凹部（１８）を有した鍔部（１５）の下方に嵌合段部（１６）を形成し、該嵌合段部の中央に設けたシリンダ孔（１７）の周縁一方にねじ止孔（１９）を設け、他方に垂直方向のガイド筒（２５）を形成し、該ガイド筒の内側壁面中央に縦溝部（２６）を設け、内部にばね（２８）で付勢させた可動筒（３０）を上下動可能に収容し、前記蓋受凹部（１８）に嵌合する可動蓋（４０）の基端に設けた押圧部（４１）を前記ガイド筒（２５）の開口付近に枢動可能に軸支すると共に、該押圧部と前記可動筒（３０）の上端とを当接してなるシリンダ基枠（１４）と、
上端に係止鍔部（４９）を有した本体（４８）の中央軸心方向に回動可能に取付けた作動軸（５１）の下端を本体（４８）の底面から突出させて周面に面取部（５２）を設けたシリンダ錠（４７）と、
下面中央に前記作動軸（５１）が挿通する面取軸孔（６２）を有した筒部（６１）を、前記シリンダ錠（４７）の外周に位置して前記筒部（６１）の上端周縁に圧着片（６３）（６４）の各上端を筒部（６１）の上端面より高くして取付け、壁面の周方向にガイド溝部（６５）を形成してなるロック筒（６０）と、
一端をガイド筒（２５）に収容した可動筒（３０）の側壁に設けたピン孔（３２）に挿通し、他端をガイド筒（２５）の縦溝部（２６）を介してロック筒（６０）のガイド溝（６５）に挿通して連結し、可動筒（３０）の上下動をロック筒（６０）に伝達するガイドピン（６７）とからなり、
前記ロック筒（６０）は、シリンダ錠（４７）の作動軸（５１）を時計方向または反時計方向に回動させてロック筒（６０）をロックまたはアンロックさせ、可動蓋（４０）の開閉動で可動筒（３０）に取付けたガイドピン（６７）を介してロック筒（６０）を上下動させて蓋板（２）の取付基枠（３）に着脱可能に取付けてなることを特徴とする電線共同溝の蓋板旋錠装置。
【請求項２】
前記シリンダ錠（４７）は、中央軸心方向に位置した作動軸（５１）の下端を本体（４８）の底面から突出させて周面に面取部（５２）を形成し、該面取部にロック筒（６０）の面取軸孔（６２）を嵌挿することにより、作動軸（５１）の回動と共にロック筒（６０）がガイド溝（６５）内のガイドピン（６７）にガイドされて時計方向または反時計方向に回動してロックまたはアンロックさせ、作動軸（５１）に差し込まれたロックキー（５４）は、ロック筒（６０）がロック位置のとき作動軸（５１）からの抜き差しが可能で、ロック筒（６０）がアンロック位置のとき作動軸（５１）からロックキー（５４）の引き抜きを不能にしてなることを特徴とする請求項１記載の電線共同溝の蓋板旋錠装置。
【請求項３】
前記シリンダ基枠（１４）のガイド筒（２５）に収容した可動筒（３０）は、上方を開口した内筒部（３３）に小ばね（３８）で弾発させた圧着軸（３５）を挿通し、該圧着軸の上端に設けた係止鍔部（３６）を前記可動蓋（４０）の基端に設けた押圧部（４１）と摺動可能に当接させ、前記可動蓋（４０）の開閉動により可動筒（３０）と圧着軸（３５）を同時に上下動させることにより、前記可動蓋（４０）のガタ付きを防止してなることを特徴とする請求項１または２記載の電線共同溝の蓋板旋錠装置。
【発明の詳細な説明】
【技術分野】
【０００１】
本発明は、電線、電話ケ−ブルまたは光通信ケ−ブル等のライフラインを埋設した地下埋設型電線共同溝に装着した蓋板の安全性を高める施錠装置に関する。
【背景技術】
【０００２】
従来、電線、電話ケ−ブル等のライフラインを埋設してある地下埋設型電線共同溝には、作業者が定期点検や故障を修理するための作業用開口部に、複数の蓋板が開閉可能に取り付けてある。そして、この種の共同溝は都市部の路面に多数存在している。
【０００３】
共同溝の蓋板には、埋設してある電線、電話ケ−ブル等への悪戯、盗難、破壊行為などを防止するため、蓋板が簡単に開かないように安全対策として、蓋板２の裏側（下面）に取り付けた下面板７には施錠部８を、また、蓋板２には開口防止装置７０を取付けてある（図３、１９）。
【０００４】
開口防止装置７０は、図１８、１９に示す如く、蓋板２に装着させた取付基枠３に設けた係止段部４の嵌合孔５に合致させた係止鍔部７１の中央下部に、左右にそれぞれ窓部７４を有した筒状のねじ受部７３を設け、該ねじ受部の下部中央に形成した通孔に締付ねじ７５の下部を軸支してある。この締付ねじ７５に中央を螺合させた圧着板７７は、両端長手方向をそれぞれ窓部７４から突出させ、該締付ねじの上端に設けた係止頭部７６の上面に凹入状に形成した六角孔に係合させた締付冶具（図示せず）を回転させることにより、該圧着板を昇降動可能に装着してある。
【０００５】
開口防止装置７０の蓋板２への取付けは、該開口防止装置の係止鍔部７１の長手方向を、取付基枠３に設けた嵌合孔５の短手方向と合致させて挿入させた後、該開口防止装置を９０度回転して圧着板７７の長手方向を嵌合孔５の長手方向と直角方向に交差させて取付基枠３の係止段部４と開口防止装置７０の係止鍔部７１とを合致させる。次いで、レンチなどの締付治具を前記締付ねじ７５の頭部７６に設けた六角孔に合致させて回動することにより、圧着板７７を上昇させて係止段部４の下面に圧着して開口防止装置７０を係止させて止めることにより嵌合孔５が開口するのを防止している。
【０００６】
開口防止装置７０は、構成が簡単でコストが安価で経済的であるが、通常の締付冶具、例えば、六角レンチで締付ねじ７５を簡単に回動して開閉されるおそれがある。そのため、前記ライフラインを埋設した共同溝の開口部に取付けた蓋体を簡単に開口されるおそれがあった。このライフラインに、悪戯、盗難、または破壊行為などを行う不法行為者が、該共同溝の蓋体を簡単に開口できることはセキュリティーの面から安全上問題である。
【発明の概要】
【発明が解決しようとする課題】
【０００７】
地下埋設型電線共同溝の開口部に取付けた、扉の機能を有した蓋板２が簡単に開錠されないような施錠装置を取付ける場合、セキュリティーを高めるには必然的に構造が複雑となり、大型化したり重量が増したりしてコストが高くなって不経済的となり、さらに、機能を高めた施錠装置への交換作業が大変で非能率的であるなどの問題点を有していた。
【０００８】
そこで、従来の蓋板２に取付けられている開口防止装置７０を取付けるための取付基枠３をそのまま使用して、悪戯、盗難、または破壊行為などを防止することができ、簡単に開錠することのできない施錠装置を取替可能に取り付けられるようにすることを目的とするものである。
【課題を解決するための手段】
【０００９】
上記課題を解決するために本発明は、上面に蓋受凹部１８を有した鍔板部１５の下方に嵌合段部１６を形成し、該嵌合段部の中央に設けたシリンダ孔１７の周縁一方にねじ止孔１９を設け、他方に垂直方向のガイド筒２５を形成し、該ガイド筒の内側壁面中央に縦溝部２６を設け、内部にばね２８で付勢させた可動筒３０を上下動可能に収容し、前記蓋受凹部１８に嵌合する可動蓋４０の基端に設けた押圧部４１を前記ガイド筒２５の開口付近に枢動可能に軸支すると共に、該押圧部と前記可動筒３０の上端とを当接してなるシリンダ基枠１４と、上端に係止鍔部４９を有した本体４８の中央軸心方向に回動可能に取付けた作動軸５１の下端を本体４８の底面から突出させて周面に面取部５２を設けたシリンダ錠４７と、下面中央に前記作動軸５１が嵌通する面取軸孔６２を有した筒部６１を、前記シリンダ錠４７の外周に位置して前記筒部６１の上端周縁に圧着片６３、６４の各上端を筒部６１の上端面より高くして取付け、壁面の周方向にガイド溝６５を形成してなるロック筒６０と、一端をガイド筒２５に収容した可動筒３０の側壁に設けたピン孔３２に挿通し、他端をガイド筒２５の縦溝部２６を介してロック筒６０のガイド溝６５に挿通して連結し、可動筒３０の上下動をロック筒６０に伝達するガイドピン６７とからなり、前記ロック筒６０は、前記シリンダ錠４７の作動軸５１を時計方向または反時計方向に回動させてロック筒６０をロックまたはアンロックさせ、前記可動蓋４０の開閉動で可動筒３０に取付けたガイドピン６７を介してロック筒６０を上下動させて蓋板２の取付基枠３に着脱可能に取付けてなることを特徴とする。また、前記シリンダ錠４７は、中央軸心方向に位置した作動軸５１の下端を本体４８の底面から突出させて周面に面取部５２を形成し、該面取部にロック筒６０の面取軸孔６２を嵌挿することにより、作動軸５１の回動と共にロック筒６０がガイド溝６５内のガイドピン６７にガイドされて時計方向または反時計方向に回動してロックまたはアンロックさせ、作動軸５１に差し込まれたロックキー５４は、ロック筒６０がロック位置のときには作動軸５１からの抜き差しが可能で、ロック筒６０がアンロック位置のとき、作動軸５１からロックキー５４の引き抜きを不可能に形成してなることを特徴とする。さらに、前記シリンダ基枠１４のガイド筒２５に収容した可動筒３０は、上方を開口した内筒部３３に小ばね３８で弾発させた圧着軸３５を挿通し、該圧着軸の上端に設けた係止鍔部３６を前記可動蓋４０の一端に設けた押圧部４１と摺動可能に当接させ、前記可動蓋４０の開閉動で可動筒３０と圧着軸３５を同時に上下動させることにより、前記可動蓋４０のガタ付きを防止してなることを特徴とする。
【００１０】
したがって、施錠装置１３を従来型電線共同溝用蓋板２の取付基枠３に取付ける場合、シリンダ錠４７にロックキー５４を差し込んでロック筒６０をアンロック位置に回動してから前記取付基枠３の嵌合孔５に嵌合し、次いで、ロックキー５４を回動させてロック筒６０をロック位置に回動してからロックキー５４をシリンダ錠４７から引き抜き、さらに、シリンダ基枠１４に取付けた可動蓋４０を閉じると、該可動蓋の押圧部４１で押圧されているガイド筒２５内の可動筒３０が上昇すると同時に、該可動筒とロック筒６０とを連結しているガイドピン６７と共にロック筒６０が上昇し、該ロック筒に取付けたロック位置の圧着片６３、６４で前記取付基枠３の下面側を圧接して取付基枠３の厚みの誤差により生じる施錠装置１３のガタ付を防止すると共に確実にロックすることができる。また、可動蓋４０を開閉動するだけで施錠装置１３を取付基枠３にワンタッチで確実に取付けることができる。さらに、可動蓋４０の固着ねじ４３をシリンダ基枠１４のねじ止孔１９に螺着して、シリンダ錠４を施錠するので不正開口を確実に防止することができて安全であると共に、従来型電線共同溝用蓋板２をそのままセキュリティー付き蓋板にすることができるので大変経済的である。
【図面の簡単な説明】
【００１１】
【図１】電線共同溝の開口部に複数の蓋板を取付けた状態の斜視図である。
【図２】蓋板の取付基枠に取付けた施錠装置の平面図である。
【図３】下面板に取付けた施錠装置と蓋板に取付けた施錠装置の関係を示す断面図である。
【図４】可動蓋を開いた状態の施錠装置の側面図である。
【図５】施錠装置の底面図である。
【図６】施錠装置の分解断面図である。
【図７】シリンダ基枠の底面図である。
【図８】図７のＡ―Ａ線断面図である。
【図９】ロック筒の平面図である。
【図１０】ロック筒の底面図である。
【図１１】図９のＢ―Ｂ線断面図である。
【図１２】可動筒とロック筒をガイドピンで連結した状態の断面図である。
【図１３】ロックキーをシリンダ錠に差し込んだ施錠装置を取付基枠に嵌合させた状態の側面図である。
【図１４】図１３のＣ―Ｃ線断面図である。
【図１５】シリンダ錠に差し込んだロックキーを回動した状態の側面図である。
【図１６】ロックキーを引き抜いて可動蓋を閉じた施錠状態を示す側面図である。
【図１７】図１６のＤ―Ｄ線断面図である。
【図１８】従来の開口防止装置の断面図である。
【図１９】従来の開口防止装置を取付基枠に取付けた状態の断面図である。
【発明を実施するための形態】
【００１２】
本発明の実施形態を図面により説明すると、図１は電線共同溝の開口部に複数の蓋板を取付けた状態の斜視図、図２は蓋板の取付基枠に取付けた施錠装置の平面図、図４は可動蓋を開いた状態の施錠装置の側面図、図５は施錠装置の底面図、図６は施錠装置の分解断面図、図７はシリンダ基枠の底面図、図８は図７のＡ―Ａ線断面図、図９はロック筒の平面図、図１０はロック筒の底面図、図１１は図９のＢ―Ｂ線断面図、図１２は可動筒とロック筒をガイドピンで連結した状態の断面図、図１３はロックキーをシリンダ錠に差し込んだ施錠装置を取付基枠に嵌合させた状態の側面図、図１４は図１３のＣ―Ｃ線断面図、図１５はシリンダ錠に差し込んだロックキーを回動した状態の側面図、図１６はロックキーを引き抜いて可動蓋を閉じた状態の側面図、図１７は図１６のＤ―Ｄ線断面図である。
【００１３】
施錠装置１３は、図６に示す如く、耐腐食性を有する金属材、例えば、ステンレス材により形成したシリンダ基枠１４の一側に設けたガイド筒２５内に、ばね２８で付勢させた可動筒３０を上下動可能に収容してある。このシリンダ基枠１４の中央に設けたシリンダ孔１７に嵌合固着したシリンダ錠４７の外周にロック筒６０を位置させ、該シリンダ基枠の上面で枢動可能に取付けた可動蓋４０の基端に設けた押圧部４１と前記可動筒３０とを当接させてある。さらにこの可動筒３０の側面とロック筒６０のガイド溝６５とをガイドピン６７で連結させてなり、前記可動蓋４０の基端を支点に枢動させると、押圧部４１の押し圧力で上下動する可動筒３０とガイドピン６７を介してロック筒６０が上下動し、シリンダ錠４７の作動軸５１によりロック筒６０を時計方向または反時計方向に回動可能に取付けてある。
【００１４】
シリンダ基枠１４は、図７、８に示すごとく、蓋板２の取付基枠３に設けた係止段部４に係止する扁平な鍔部１５の下面に、取付基枠３の嵌合孔５に挿通させる嵌合段部１６を一体に形成してある。この嵌合段部１６の中央にシリンダ錠４７を嵌合固着させるシリンダ孔１７を設け、該シリンダ孔の上面には該シリンダ孔を開閉する可動蓋４０が嵌合する蓋受凹部１８を形成し、嵌合段部１６の一側垂直方向には、上面を開口したガイド筒２５を一体に設けてある。
【００１５】
図６、８に示すように、ガイド筒２５は、底面中央に水抜孔２７を設け、垂直方向の内側壁面中央にガイドピン６７を貫通させる縦溝部２６を形成し、図７に示すごとく、内側壁面の一角を切り欠いて後記するロック筒６０に取付けた小圧着片６４が位置するスペースである面取部２９を設けてある。
【００１６】
２１は嵌合段部１６に設けたねじ孔で、図７に示すごとく、シリンダ孔１７と直角方向で該シリンダ孔に先端を貫通してなり、該ねじ孔に螺合したねじ軸２１ａでシリンダ孔１７に着脱可能に嵌合したシリンダ錠４７の本体４８を圧着固定してシリンダ錠の回転と脱落を防止している。
【００１７】
２２は弛み止ねじ孔で、図７に示すごとく、ねじ孔２１内の中間部に垂直方向に貫通して形成し、該弛み止ねじ孔に螺合した止ねじ軸２３で、ねじ孔２１に螺合したねじ軸２１ａが弛むのを防止している。
【００１８】
３０はガイド筒２５内にばね２８を介して収容した可動筒で、図６に示す如く、略中央にばね受段部３１を環状に形成し、該ばね受段部の上方に該可動筒の軸心方向と直角方向にピン孔３２を設けてある。該可動筒の内側に設けた内筒部３３は、底面に小径の水抜孔３４を設け、該内筒部の内部に小ばね３８と圧着軸３５を挿通し、該圧着軸の上端に設けた係止鍔部３６を、前記可動蓋４０の押圧部４１と摺動可能に当接して収容してある。
【００１９】
４０はシリンダ基枠１４の上面に取付ける可動蓋で、図６、１４に示すごとく、基端に設けた押圧部４１にピン孔４４を設け、該ピン孔とガイド筒２５の上端に設けたピン孔２０を合致させて止ピン４５を挿通して軸支すると共に、前記シリンダ基枠１４の蓋受凹部１８に嵌合可能に取付けてある。この可動蓋４０の先端に設けたねじ孔４２に遊嵌させた固着ねじ４３は、シリンダ基枠１４の蓋ねじ孔１９に螺合可能に形成してある。
【００２０】
可動蓋４０の基端に設けた押圧部４１は、図６、１４に示す如く、可動蓋４０が垂直に位置すると、押圧部４１の下端である短尺辺４１ａと前記ガイド筒２５に収容した可動筒３０の圧着軸３５とが当接し、ばね２８、３８の弾発力に抗して押し下げられる。可動蓋４０が止ピン４５を支点に枢動してシリンダ基枠１４の蓋受凹部１８内に嵌合すると、押圧部４１の内側長尺辺４１ｂと可動筒３０の圧着軸３５が当接してばね２８と小ばね３８の弾発力で上昇可能に設けてある（図１７）。
【００２１】
４７はシリンダ錠で、前記シリンダ基枠１４のシリンダ孔１７内に着脱可能に嵌合させ、図６に示すごとく、円筒状の本体４８と、該本体の上端にシリンダ孔１７の上端に係止する係止鍔部４９と、前記本体の中央軸心方向にロックキー５４で回動する作動軸５１とからなり、該作動軸は本体４８の下面から下方を突出して周面に面取部５２を設けてある。このシリンダ錠４７は、安全機能を向上させたものと交換することにより、簡単にセキュリティー効果を高めることができる。
【００２２】
シリンダ錠４７に差し込むロックキー５４は、ロック筒６０がロック状態のときに作動軸５１への抜き差しが可能であり、また、ロック筒６０がアンロック状態のときに、ロックキー５４はシリンダ錠４７の作動軸５１から引き抜き不可能とし、施錠装置１３のロック忘れを確実に防止している。
【００２３】
図６に示すように、ロック筒６０は、シリンダ錠４７の本体４８の外周に嵌合する筒部６１の下面中央に、シリンダ錠４７の作動軸５１が挿通して周方向に固定する面取軸孔６２を設けてある。この筒部６１の開口部周縁に該筒部の上端面より高くした大圧着片６３と小圧着片６４を設け、筒部６１の壁面にロック筒６０が周方向に９０度回動するためのガイド溝６５を形成してある。
【００２４】
面取軸孔６２は、シリンダ錠４７の作動軸５１の下端周面に設けた面取部５２が嵌合する切欠部６２ａを設けてあり、面取部５２と同一形状に面取して挿通してあるので空転することがない。作動軸５１の回動と共にロック筒６０は、筒部６１の周面に周方向に四分の一円周、即ち、９０度の角度に開口したガイド溝６５に挿通したガイドピン６７により周方向（時計方向または反時計）に回動する。このガイドピン６７の他端は、ガイド筒２５の縦溝部２６を介して可動筒３０のピン孔３２に挿通して連結してあるため、該可動筒の上下動をガイドピン６７を介してロック筒６０に伝達して上下動させるものである。
【００２５】
ロック筒６０の上端に取付けた圧着片６３、６４は、図９、１０に示す如く、一方の大圧着片６３は、筒部６１の上端で面取軸孔６２に設けた切欠部６２ａの延長上に位置してある。他方の小圧着片６４は、反対側に位置するガイド筒２５に当たらない角度で、且つ、前記嵌合段部１６の周縁から外側に出ないようガイド筒２５の面取部２９側に傾けて取付けることにより、ロック筒の筒部６１を中心として両側から取付基枠３を圧着可能に取付けてある。
【００２６】
ロック筒６０に取付けた圧着片６３、６４の取付け位置は、取付基枠３の嵌合孔５の長手方向と並行に位置した状態をアンロック位置とし、嵌合孔５の長手方向とロック筒６０の圧着片６３、６４が直角方向に位置した状態をロック位置となるように取付けてある。したがって、ロック筒６０が周方向に四分の一回転及び逆転することにより、ロックまたはアンロックさせることができる。
【００２７】
ロック筒６０の上端に取付けた大圧着片６３と小圧着片６４の高さは、筒部６１の上端面より高く形成してある。前記蓋板２に取付けてある取付基枠３は、鋳造して形成してあるため係止段部４の厚さがそれぞれ相違する場合がある。したがって、ロック筒６０の筒部６１の上端と圧着片６３、６４を同じ高さにすると、取付基枠３の係止段部４の厚さが、例えば、薄い場合、可動蓋４０を閉じて可動体３０とロック筒６０が上昇したとき、上昇したガイドピン６７は縦溝部２６の上端に到達して停止するが、ロック筒６０の圧着片６３、６４の上端が係止段部４の裏面を十分に圧着できない場合が生ずる。
【００２８】
そこで、取付基枠３の係止段部４の厚さが相違しても確実に係止段部４の裏面を圧接させるため、圧着片６３、６４の上端を筒部６１の上端面より高く形成したことにより、係止段部４の厚みの相違による差を吸収して係止段部４の裏面に確実に圧着させて施錠装置のガタ付きを防止して確実に取付けることができる。
【００２９】
一方、ロック筒６０の圧着片６３、６４を係止段部４の裏面に圧着したとき、前記ガイドピン６７は、係止段部４の厚さの相違により縦溝部２６の上端に到達しないで停止する場合がある。すると、ガイドピン６７の他端が連結している可動筒３０は途中で止まり、可動蓋４０の押圧部４１と可動筒３０とが十分に当接しない場合が生じる。するとシリンダ基枠１４に取付けた可動蓋４０の押圧部４１が可動筒３０に十分に圧着されないので、該可動蓋のガタ付きや故障の原因となるおそれがある。そのため、可動筒３０の内筒部３３に収容した圧着軸３５を小ばね３８で常に付勢させることにより、係止鍔部３６の上端を押圧部４１に常に当接させ、取付基枠３の係止段部４の厚さが相違することにより生じたギャップを吸収して可動蓋４０のガタ付きを防止している。
【００３０】
以下、本発明の実施形態の作用について説明すると、施錠装置１３を蓋板２の取付基枠３に取付ける場合、予め施錠装置１３の可動蓋４０を開き、ロック筒６０が下がった状態で、且つ、シリンダ錠４７に差し込まれたロックキー５４がアンロック位置の状態で取付基枠３の嵌合孔５に挿入する。
【００３１】
図１３、１４に示すごとく、アンロック状態の施錠装置１３は、シリンダ基枠１４の長手方向とロック筒６０の大小圧着片６３、６４が並行に位置するため、取付基枠３の嵌合孔５に引っ掛かることなくスムースに挿入でき、鍔部１５を係止段部４に係止させて簡単に嵌合することができる。
【００３２】
次いで、図１５に示すごとく、シリンダ錠４７に差し込まれたロックキー５４でシリンダ錠４７を回動させると、該シリンダ錠の下方に位置した作動軸５１と嵌合しているロック筒６０は、周方向に突出して設けたガイドピン６７に案内されてガイド溝６５内を周方向に回動して圧着片６３、６４をロック位置に移動させる。
【００３３】
さらに、ロックキー５４をシリンダ錠４７の作動軸５１から抜き取り、樹立している可動蓋４０を下方に回転して蓋受凹部１８に嵌合させてシリンダ孔１７を閉じ、該可動蓋に取付けた固着ねじ４３を蓋ねじ孔１９に螺着する（図１６）。
【００３４】
可動蓋４０が閉じると、該可動蓋の押圧部４１の短尺辺４１ａで押圧されている可動筒３０と圧着軸３５は、押圧部４１の長尺辺４１ｂに摺動して可動筒３０と圧着軸３５はばね２８、３８の弾発力により上昇する。それと同時に、ガイドピン６７と連動してロック筒６０が上昇して、圧着片６３、６４の上端は取付基枠３の係止段部４の下面に圧着係止する（図１７）。
【００３５】
可動蓋４０を閉じることにより、ロック筒６０の圧着片６３、６４で取付基枠３の係止段部４を裏面側から圧着し、取付基枠３に緩嵌していた施錠装置１３が取付基枠３にワンタッチで圧着してガタツキを防止すると同時に蓋板２をロックすることができる。
【００３６】
前記のごとく、従来の蓋板２に設けた取付基枠３に施錠装置１３を取付けることができるので、施錠装置つきの新しい蓋板に交換する必要がなく、従来の蓋板２をそのまま使用できるので、セキュリティー機能を安価で経済的に高めたて施錠装置を提供することができる。
【００３７】
施錠装置１３の開錠は、可動蓋４０の固着ねじ４３を治具で弛めた後、可動蓋４０を回動して開くと同時に押圧部４１の長尺辺４１ｂから短尺辺４１ａ方向に摺動して圧着軸３５と可動筒３０を下方に押し下げると、可動筒３０とロック筒６０を連結したガイドピン６７によりロック筒６０が下方に移動し、圧着片６３、６４は取付基枠３の裏面から離れて下方に移動する。
【００３８】
このロック筒６０の圧着片６３、６４による圧着がなくなると、取付基枠３内の施錠装置１３はガタツキを生じるが、ロック筒６０はロック位置にあるため、施錠装置１３を取付基枠３から引き抜くことができない。
【００３９】
ついで、シリンダ錠４７にロックキー５４を差込み、作動軸５１を回動させるとロック筒６０が周方向に回動して圧着片６３、６４をアンロック位置に移動させて開錠することにより施錠装置１３を取り出すことができる。
【００４０】
シリンダ錠４７に差し込んだロックキー５４は、ロック筒６０がアンロック位置にあるとシリンダ軸５０から引き抜くことができない。しかし、ロック筒６０がロック位置にあると引き抜くことができる。そのため、施錠装置の施錠忘れを確実に防止することができる利点を有するものである。
【符号の説明】
【００４１】
１３    施錠装置
１４    シリンダ基枠
１５    鍔部
１６    嵌合段部
１７    シリンダ孔
１８    蓋受凹部
１９    ねじ孔
２０    ピン孔
２５    ガイド筒
２６    縦溝部
２８    ばね
３０    可動筒
３１    ばね受段部
３２    ピン孔
３５    圧着軸
３６    係止鍔部
３８    小ばね
４０    可動蓋
４１    押圧部
４７    シリンダ錠
４８    本体
４９    係止鍔部
５１    作動軸
５４    ロックキー
６０    ロック筒
６１    筒部
６３    大圧着片
６４    小圧着片
６５    ガイド溝
６７    ガイドピン
【図１】
0005307167.tif 000002
【図２】
0005307167.tif 000003
【図３】
0005307167.tif 000004
【図４】
0005307167.tif 000005
【図５】
0005307167.tif 000006
【図６】
0005307167.tif 000007
【図７】
0005307167.tif 000008
【図８】
0005307167.tif 000009
【図９】
0005307167.tif 000010
【図１０】
0005307167.tif 000011
【図１１】
0005307167.tif 000012
【図１２】
0005307167.tif 000013
【図１３】
0005307167.tif 000014
【図１４】
0005307167.tif 000015
【図１５】
0005307167.tif 000016
【図１６】
0005307167.tif 000017
【図１７】
0005307167.tif 000018
【図１８】
0005307167.tif 000019
【図１９】
0005307167.tif 000020